(57)【要約】運動装置により、運動増進、および極めてコンパクトな格納場所が提供される。壁に取り付けられたレールまたは自立レール（101b〜104b）を含む枠組みにウェイト・スタック（128）ユニットを取り付けることによって、ウェイト・スタック・ユニットは、様々な使用位置と極めてコンパクトな格納位置との間で移動できる。格納位置における枠組みの設置面積を減少させるため、レールは折畳み可能または取外し可能なセグメントを有する。格納位置においては、枠組みは、ウェイト・スタック・ユニット（128）、折畳み可能なユーザ支持ベンチ（135）、バーベル（118）、およびその他の付属装置を収容する格納空間を形成する。この機器はたとえば、折畳み可能なトレッドミルおよびスクリーン・モニタ、レッグ・エクステンションおよびカール・アタッチメント、ならびにプリーチャー・カール・アタッチメントをさらに含んでよく、かつ装置の一部として設けられたパネルの後方に隠すことができる。各ウェイト・スタック・ユニットにはスミス・ガイドおよび軸受を取り付けることができる。持上げられたウェイト・プレートの運動量を減少させるためのコンパクトな構成が提供される。運動ハンドル・アセンブリの自由度が高められており、ユーザの前腕および手首の回転を容易にする。
2004520897.tif 000002
【特許請求の範囲】
【請求項１】
2つの独立した運動抵抗ユニットを支持し、かつ互いに向かっておよび互いから離れて、運動を行うために各ユニットが一緒にユーザによって動作可能である、各使用位置および各格納位置に移動するために2つの運動抵抗ユニットが取り付けられている枠組みを含む運動装置であって、
各運動抵抗ユニットが、枠組みのレール上に移動可能に取り付けられており、レールが、各運動抵抗ユニットがレールに沿って移動するのを可能にする伸張使用位置、および枠組みの設置面積を減少させる格納位置との間を移動できるセグメントを有する、運動装置。
【請求項２】
レール・セグメントが、伸張使用位置と格納位置との間を移動するためにピボット運動可能に取り付けられている、請求項1記載の運動装置。
【請求項３】
格納位置に配置するためにレール・セグメントを残りの枠組みから取り外すことができる、請求項1記載の運動装置。
【請求項４】
枠組みが、上部レールおよび下部レールを含み、運動抵抗ユニットが、レールに沿って走行するための上部ローラーおよび下部ローラーを有し、各レールのセグメントが、伸張使用位置から格納位置まで移動可能である、請求項1記載の運動装置。
【請求項５】
レール・セグメントが、ほぼ垂直な格納位置までピボット運動する、請求項4記載の運動装置。
【請求項６】
格納位置に配置するためにレール・セグメントを残りの枠組みから取り外すことができる、請求項4記載の運動装置。
【請求項７】
交差平面内で水平方向に移動するために運動抵抗ユニットが枠組みに取り付けられている、請求項1記載の運動装置。
【請求項８】
2つの独立した運動抵抗ユニットを支持し、かつ互いに向かっておよび互いから離れて、運動を行うために各ユニットが一緒にユーザによって動作可能である、各使用位置および各格納位置に移動するために2つの運動抵抗ユニットが取り付けられている枠組み、ならびに
少なくとも一方の運動ユニットがその格納位置にあるときに運動ユニットを少なくとも部分的に覆う閉位置と、少なくとも一方の運動抵抗ユニットを使用できるように露出させる開位置との間を移動するために枠組みに移動可能に連結されているカバー・パネル
を含む、運動装置。
【請求項９】
カバー・パネルの上方に位置する関係で移動可能に取り付けられた二次パネルをさらに含む、請求項8記載の運動装置。
【請求項１０】
二次パネルが、カバー・パネルに対するピボット運動のために取り付けられている、請求項9記載の運動装置。
【請求項１１】
一対のカバー・パネルが設けられており、各カバー・パネルは、格納位置に配置された運動抵抗ユニットをそれぞれ1つ実質的に覆う位置まで移動できる、請求項8記載の運動装置。
【請求項１２】
一対のカバー・パネルが、その閉位置においては、その内部に運動抵抗ユニットが各格納位置に配置された被覆格納領域を枠組みと共に規定するように、互いに隣接して位置している、請求項11記載の運動装置。
【請求項１３】
交差平面内で水平方向に移動するために、2つの運動抵抗ユニットが枠組みに取り付けられており、かつ被覆格納領域が、交差平面間に規定されたコーナー格納領域である、請求項12記載の運動装置。
【請求項１４】
枠組みが、コーナー柱、2本の追加の柱、一対の上部固定レール、一対の下部固定レール、および該2本の追加の柱を連結するクロス部材を含む三角形構造を規定する、請求項13記載の運動装置。
【請求項１５】
2本の追加の柱がそれぞれ、その開位置と閉位置との間で移動するために一対のカバー・パネルのそれぞれ一方をヒンジによって支持している、請求項14記載の運動装置。
【請求項１６】
各運動抵抗ユニットが、枠組みのレール上に移動可能に取り付けられており、かつ開位置においては、カバー・パネルがレールの後方に位置する、請求項8記載の運動装置。
【請求項１７】
レールが、各運動抵抗ユニットがレールに沿って移動するのを可能にする伸張使用位置と、枠組みの設置面積を減少させる格納位置との間を移動できるセグメントを有し、格納位置は、パネルがその閉位置に配置されたときに規定される被覆格納領域内に位置する、請求項16記載の運動装置。
【請求項１８】
格納位置と使用位置との間を移動するために枠組みに移動可能に取り付けられたトレッドミルをさらに含み、トレッドミルの格納位置が、カバー・パネルが閉位置にあるときにカバー・パネルの後方に位置する、請求項8記載の運動装置。
【請求項１９】
トレッドミルの上方で枠組みに取り付けられたスクリーン・モニタをさらに含む、請求項18記載の運動装置。
【請求項２０】
格納位置と使用位置との間を移動できる折り畳み運動ベンチをさらに含み、運動ベンチの格納位置が、カバー・パネルが閉位置にあるときにカバー・パネルの後方に位置する、請求項8記載の運動装置。
【請求項２１】
運動ベンチが、その格納位置と使用位置との間の移動のために枠組みに移動可能に連結されている、請求項20記載の運動装置。
【請求項２２】
運動ベンチが、その格納位置と使用位置との間の移動を可能にするために枠組みに取外し可能に連結されている、請求項20記載の運動装置。
【請求項２３】
格納位置と使用位置との間を移動できるプリーチャー・カール・アタッチメントをさらに含み、プリーチャー・カール・アタッチメントの格納位置が、パネルがその閉位置に配置されたときに形成される被覆格納領域内に位置する、請求項12記載の運動装置。
【請求項２４】
格納位置と使用位置との間を移動できるレッグ・エクステンション/カール・アタッチメントをさらに含み、レッグ・エクステンション/カール・アタッチメントの格納位置が、パネルがその閉位置に配置されたときに規定される被覆格納領域内に位置する、請求項12記載の運動装置。
【請求項２５】
格納位置と使用位置との間を移動するために枠組みに取り付けられ、格納位置が、パネルがその閉位置に配置されたときに規定される被覆格納領域内に配置されたトレッドミル、
格納位置と使用位置との間を移動でき、格納位置が、パネルがその閉位置に配置されたときに形成される被覆格納領域内に位置する折畳み運動ベンチと、
格納位置と使用位置との間を移動でき、格納位置が、パネルがその閉位置に配置されたときに規定される被覆格納領域内に配置される、プリーチャー・カール・アタッチメント、および
格納位置と使用位置との間を移動でき、格納位置が、パネルがその閉位置に配置されたときに規定される被覆格納領域内に位置するレッグ・エクステンション/カール・アタッチメント
をさらに含む、請求項12記載の運動装置。
【請求項２６】
各運動抵抗ユニットが、運動抵抗源に動作可能に連結されかつ移動可能な運動部材に取り付けられるように適合化されたコネクタを備える各端部を有する、可とう性のライン・セグメントを含み、運動抵抗ユニットが、各端部がそれぞれの垂直方向に調整可能な停止位置に維持されるようにライン・セグメントを支持し、各ライン・セグメントは、各端部をその停止位置から離すことができるように、それぞれ1つの運動抵抗源のバイアスに対抗して他方のライン・セグメントとは独立に延ばされることができ、各ライン・セグメントは、バイアスによって端部をその停止位置へ戻すように独立に引き込むことが可能になる、請求項1記載の運動装置。
【請求項２７】
調整可能な運動抵抗構造、
運動抵抗構造に動作可能に連結されかつ移動可能な運動部材に取り付けられるように適合化されたコネクタを備える各端部を有し、構造には、運動を行うために互いと共に使用されうるように各端部が取り付けられ、運動抵抗構造が、各端部がそれぞれの垂直方向に調整可能な停止位置に維持されるようにライン・セグメントを支持し、各ライン・セグメントが、各端部をその停止位置から離すことができるように、構造によってもたらされる運動抵抗のバイアスに対抗して、他方のライン・セグメントとは独立に延ばされることができ、各ライン・セグメントは、バイアスによって端部をその停止位置へ戻すように独立に引き込むことが可能になる、一対の可とう性のライン・セグメント、
バーベル、ならびに
ライン・セグメント端部のそれぞれの調整可能な取付け部に隣接して取り付けられ、各軸受が、ライン・セグメントに取り付ける可能でありかつバーベルの取り付けのためのコネクタ・アセンブリを有し、軸受が、各コネクタ・アセンブリにバーベルを取り付けることおよび各コネクタ・アセンブリの間にバーベルが延びることを可能にする位置まで移動可能であり、バーベルの開始位置が、それぞれのライン・セグメント端部の停止位置を垂直方向に調整しかつ軸受をスミス案内柱に沿って移動させることによって、スミス案内柱に沿って調整可能である、一対のスミス案内柱および軸受
を含む、運動装置。
【請求項２８】
各コネクタ・アセンブリが、バーベルの開始位置を調整するために、案内柱に沿った選択された位置で軸受を取り外し可能に保持する第1の機構を含む、請求項27記載の運動装置。
【請求項２９】
各コネクタ・アセンブリが、バーベルの高さを微調整する第2の機構をさらに含む、請求項28記載の運動装置。
【請求項３０】
調整可能な運動抵抗構造が、ライン・セグメントがそれぞれ動作可能に連結された2つの独立した運動抵抗ユニットを支持する枠組みを含む、請求項27記載の運動抵抗ユニット。
【請求項３１】
互いに向かっておよび互いから離れる水平方向の移動のために2つの運動抵抗ユニットが枠組みに取り付けられている、請求項30記載の運動抵抗ユニット。
【請求項３２】
運動抵抗源に動作可能に連結されかつ移動可能な運動部材に取り付けられるように適合化されたコネクタを備えた端部を有し、運動抵抗ユニットが、端部が垂直方向に調整可能な停止位置に維持されるようにライン・セグメントを支持し、ライン・セグメントが、端部をその停止位置から離すことができるように運動抵抗源のバイアスに対して延びることができ、かつ端部をその停止位置に戻すようにバイアスによって引き込むことができる、可とう性のライン・セグメントを含む運動抵抗ユニットであって、
運動抵抗ユニットが、調整可能なウェイト・スタック・ユニットを含み、ラインが、調整可能なウェイト・スタック・ユニットのブロックおよびタックルのアセンブリの一部として設けられ、各ウェイト・スタック・ユニットは、所望の数のウェイト・プレートを案内部材に沿って選択的に持ち上げるために、垂直方向に延びる案内部材、案内部材上に滑り可能に取り付けられた複数のウェイト・プレート、ならびにその上端部でブロックおよびタックルのアセンブリに取り付けられかつウェイト・プレートに選択的に連結することができるウェイト取付け部材をさらに含み、垂直方向に延びる部材に、持上げストロークの終りに、持上げられたウェイト・プレートの運動量を減少させ、それによってライン・セグメントの引込み率を高めるための機構が取り付けられている、運動抵抗ユニット。
【請求項３３】
持上げられたウェイト・プレートの運動量を減少させる機構が、垂直方向に延びる案内部材中に形成された空洞内に取り付けられている、請求項32記載の運動抵抗ユニット。
【請求項３４】
調整可能なウェイト・スタックが、調整可能なウェイト・スタックが持ち上げられたときに機構に連結されるための、空洞内へと取外し可能に延びている連結要素を含む、請求項33記載の運動抵抗ユニット。
【請求項３５】
持上げられたウェイト・プレートの運動量を減少させるための機構が、ウェイト・スタックが持ち上げられたときに調整可能なウェイト・スタック・ユニットと連結可能である垂直方向に延びる案内部材上に取り付けられた圧縮ばねを含む、請求項32記載の運動抵抗ユニット。
【請求項３６】
圧縮ばねが、垂直方向に延びる案内部材中に形成された空洞内に取り付けられている、請求項35記載の運動抵抗ユニット。
【請求項３７】
調整可能なウェイト・スタックが、調整可能なウェイト・スタックが持ち上げられたときに圧縮ばねと連結するために空洞内へと取外し可能に延びることのできるキーを含む、請求項36記載の運動抵抗ユニット。
【請求項３８】
2つの独立した運動抵抗ユニットを支持し、かつ互いに向かっておよび互いから離れて、運動を行うために各ユニットが一緒にユーザによって動作可能である、各位置および各格納位置に移動するために2つの運動抵抗ユニットが取り付けられている枠組み、ならびに
格納位置と使用位置との間を移動するために枠組みに移動可能に連結され、各運動抵抗ユニットが枠組みのレール上に移動可能に取り付けられかつ格納位置においてトレッドミルがレールに隣接してほぼ垂直方向に延びるトレッドミル
を含む、運動装置。
【請求項３９】
トレッドミルが、ほぼ垂直方向にかつ格納位置においてレールの後方に延びる、請求項38記載の運動装置。
【請求項４０】
細長いハンドル、
ハンドルの両端から延びるように連結された可とう性のストラップ、および
可とう性のストラップを運動抵抗ユニットのプルラインに連結するためのコネクタ・アセンブリ
を含む運動ハンドル・アセンブリであって、
ストラップがハンドルとコネクタ・アセンブリとの間で引っ張られた場合にも、ハンドルは、引っ張られたストラップの平面内に一般に存在する弧においてほぼ自由に回転可能なままであり、それによってユーザの前腕の回転を容易にする、運動ハンドル・アセンブリ。
【請求項４１】
ハンドルが、引っ張られたストラップに沿って長手方向に滑ることができる、請求項40記載の運動ハンドル・アセンブリ。
【請求項４２】
ストラップが、ハンドル内に設けられた通路を通って延び、かつ該通路内を滑ることができる、請求項41記載の運動ハンドル・アセンブリ。
【請求項４３】
細長いハンドルが、ストラップ上でのハンドルの滑り移動を容易にするために通路内に取り付けられたローラーを含む、請求項42記載の運動ハンドル・アセンブリ。
【請求項４４】
細長いハンドルが、細長いハンドルの内側部材上で細長いハンドルの長軸の回りを回転可能であり、それによってユーザの手首の回転を容易にする外側部材をさらに含む、請求項43記載の運動ハンドル・アセンブリ。
【発明の詳細な説明】
【技術分野】
【０００１】
本出願は、2000年12月20日に出願された前の同時係属中の仮出願第60/256,473号の優先権の恩典を主張するものである。
【０００２】
発明の分野
本発明は、一体化構造における異なる構成要素を用いていくつかの異なる運動を行うことができる多目的運動機器に関する。
【０００３】
より具体的には、本発明は、米国特許第5,725,459号（参照としてその全体が本明細書に組み入れられる）に記載された、コンパクトに収納可能な運動装置に対するいくつかの改良および追加を含む。これらの改良は、空間の利用度を高めると共に装置の見た目を良くし、かつ/またはさらなる運動を可能にすると共に使いやすさを向上させる。
【背景技術】
【０００４】
発明の背景
米国特許第5,725,459号（第5,725,459号特許）は、自立または壁に取り付けることが可能な、コンパクトに収納可能な多目的運動装置を開示している。図1および図2は、図示のようなたとえば90°の交差平面内で互いに向かっておよび互いから離れるように移動するための一対の運動抵抗ユニット9A、9Bが取り付けられた、上部レール5A、5Bおよび下部レール7A、7Bの組を含む、ほぼL字形の自立フレーム3を含む、第5,725,459号特許の第1の運動機械態様1を示している。図3〜図5は、壁に取り付けられた上部および下部のレール5A'、7A'、5B'、7B'に、抵抗ユニット9A、9Bが同様に、移動可能に取り付けられた第2の態様を示している。図示の態様では、運動抵抗ユニット9A、9Bは、独立した等張運動抵抗源を形成する調整可能なウェイト・スタック・ユニットである。しかし第5,725,459号特許は、様々な既知の機構を利用して、漸進的な等速抵抗を含むその他の種類の運動抵抗を設けることができることを開示している。
【０００５】
ウェイト・スタック・ユニット9A、9Bは本質的に同一であり、互いの鏡像を形成するので、一方について説明すれば十分であると考えられる。ウェイト・スタック・ユニット9Aは、ブロックおよびタックルのアセンブリを介してバーベル13の一端に動作可能に連結された、積み重ねられたウェイト・プレート11を含む。特に、ブロックおよびタックルのアセンブリは、バーベル13の一端に取外し可能に取り付けることのできるリングまたはその他の従来のコネクタ部材16を備えた端部を有する可とう性のプルライン15（たとえば、ケーブル）を含む。引き位置調整プリー（pulley）・ブロック17は、既知の開口部およびロック・ピンの構成によって、垂直な案内ビーム（beam）19に沿ってそれぞれの異なる位置に取外し可能に取り付けられうり、かつコネクタ部材16用の垂直方向に調整可能な引き開始点、すなわち停止位置を確立するように働く。運動の汎用性および移動の自由度を最大にするために、プリー・ブロック17を水平平面内で自由にピボット運動するように取り付けることが好ましい。バーベル13の両端が各ウェイト・スタック・ユニット9A、9Bのコネクタ部材16に取り付けられた状態で、引き位置調整プリー・ブロック17は、垂直方向に調整可能なバーベル停止位置を確立するように働く。
【０００６】
第5,725,459号特許の発明装置は、バーベルを用いた運動に限定されるわけではない。たとえば当技術分野において既知であるハンドルおよびバーなど、様々な運動アタッチメントを、コネクタ16に取り付けることができる。これによって、2つのウェイト・スタック・ユニットを個別におよび一緒に用いて、多数の様々な運動を行うことができる。
【０００７】
ウェイト・スタック・ユニット9A、9Bは、上部レールと下部レール5A、7A、5B、7B（図3〜図5に示されている5A'、7A'、5B'、7B'）の各対上で、互いに独立に移動できる。各ウェイト・スタック・ユニットがレールに沿った所望の位置において好都合にかつ取外し可能に保持されること、すなわちロックされることを可能にするためのロック構成が設けられている。ロック構成は、上部レール・アセンブリと下部レール・アセンブリの一方または両方の、間隔を置いて配置された一連の開口と、選択可能にレール開口内に延びかつレール開口から引き込むことができる上部ピンおよび/または下部ピンを含む各ウェイト・スタック・ユニット上のロック機構とを含んでよい。各ウェイト・スタック・ユニットをそれぞれの異なる水平位置に選択的にロックする機能と、調整プリー・ブロック17によってもたらされる垂直方向の調整可能性の組合せによって、各ウェイト・スタック・ユニットの引き位置、すなわちコネクタ16の停止位置を、それぞれの上部レールおよび下部レールの境界内の実質的にx-y座標全範囲にわたって移動させることができる。ウェイト・スタック・ユニット9A、9Bおよび対応する調整プリー・ブロック17の例示的な位置を図2に示す。この可動性によって非常に高度な汎用性が得られ、（1つのウェイト・スタックを用いるか、または両方のウェイト・スタックを同時に用いて）広範囲の様々な運動を行うと共にそのような運動に様々な変形を施すことが可能になる。
【０００８】
図1および図2の自立型態様において、ロック機構は、下部レール7Aの開口部に連結するための下部ピン35を有するように示されている。図3に示されている壁取付け型レール態様において、修正されたロック機構は、下部レール7A'の開口部に連結するための下部ピン35、および上部レール5A'の開口部に連結するための上部ピン37とを有する。さらなる安定性の提供およびロック強度増大のためには一般に、2ピン構成が好ましい。
【０００９】
ここで特に図4および図5を参照すると、高い使用および格納の空間効率を高めるために、第5,725,459号特許の壁取付け型態様を部屋の隅の領域に設置するにはどうすればよいかが分かる。図4に示されている構成は、ベンチ・プレス運動を行うための構成である。ウェイト・スタック・ユニット9A、9Bは、その移動の交差平面の頂点（すなわち、部屋の隅）から間隔を置いて配置されている。バーベル13は、その端部においてウェイト・スタック・ユニット9A、9Bの各プルラインに連結されており、その下にユーザ支持ベンチ81が位置している。ベンチ81は、多関節でほぼ平面状の一対の体支持部材83、85、およびそれに取り付けられた一対の支持脚部87、89とを含む。体支持部材83は、傾斜ベンチ・プレスおよびその他の運動を行うことを見越して様々な傾斜位置へと移動可能であってもよい。
【００１０】
図5においては、バーベル13がウェイト・スタック・ユニット9A、9Bから切り離されており、ベンチ81が折り畳まれており、かつウェイト・スタック・ユニット9A、9Bが互いに隣接しかつ部屋の隅に近い位置へとレールに沿って移動している。このような位置においては、ウェイト・スタック・ユニットと支持枠組み（この場合は壁）との間に空間91が形成され、この空間を利用して、折り畳まれたベンチ81およびバーベル13は直立状態で格納される。さらに、コネクタ16用のその他のアタッチメントを含む、その他の運動付属装置も空間91に格納されうる。
【発明の開示】
【００１１】
発明の概要
上記のことに鑑みて、本発明の主要な目的は、空間の利用度を高めると共に装置の見た目を良くし、かつ/またはさらなる運動を可能にすると共に使いやすさを向上させる、第5,725,459号特許の運動装置に対するいくつかの改良および追加を提供することである。
【００１２】
本発明の第一点において、運動装置は、2つの独立した運動抵抗ユニットを支持し、かつ互いに向かっておよび互いから離れて、運動を行うために各ユニットが一緒にユーザによって動作可能である、各使用位置および各格納位置に移動するために2つの運動抵抗ユニットが取り付けられている枠組みを含み、ここで、各運動抵抗ユニットは、枠組みのレール上に移動可能に取り付けられており、レールは、各運動抵抗ユニットがレールに沿って移動するのを可能にする伸張使用位置、および枠組みの設置面積を減少させる格納位置との間を移動できるセグメントを有する。各運動抵抗ユニットは、枠組みのレール上に移動可能に取り付けられる。レールは、各運動抵抗ユニットがレールに沿って移動するのを可能にする伸張使用位置と、枠組みの設置面積を減少させる格納位置との間を移動できるセグメントを有する。
【００１３】
本発明の第二点において、運動装置は、2つの独立した運動抵抗ユニットを支持し、2つの運動抵抗ユニットが、互いに向かっておよび互いから離れてそれぞれの使用位置に移動できるように取り付けられ、各ユニットが、ユーザによって、運動を行うときに一緒に動作させることが可能であり、かつそれぞれの格納位置へ一緒に動作させることが可能である枠組みを含む。少なくとも一方の運動ユニットがその格納位置にあるときにその運動ユニットを少なくとも部分的に覆う閉位置と、少なくとも一方の運動抵抗ユニットを使用できるように露出させる開位置との間を移動できるカバー・パネルが、枠組みに移動可能に連結されている。
【００１４】
本発明の第三点において、運動装置は調整可能な運動抵抗構造を含む。運動抵抗構造に一対の可とう性のライン・セグメントが動作可能に連結されている。各ライン・セグメントは、移動可能な運動部材に取り付けられるように適合化されたコネクタを備える各端部を有する。この構造には、各端部が、運動を行うときに一緒に使用できるように取り付けられている。運動抵抗構造は、各端部がそれぞれの垂直方向に調整可能な停止位置に維持されるようにライン・セグメントを支持する。各ライン・セグメントは、各端部をその停止位置から離すことができるように、上記の構造によってもたらされる運動抵抗のバイアスに対抗して、他方のライン・セグメントとは独立に延ばすことができる。各ライン・セグメントは、バイアスによって、端部をその停止位置へ戻すように独立に引き込むことができる。装置は、バーベルと、端部のそれぞれの調整可能な取付け部に隣接して取り付けられた一対のスミス案内柱および軸受とをさらに含む。各軸受は、ライン・セグメントに取り付けることができ、バーベルに取り付けられるコネクタ・アセンブリを有する。軸受は、バーベルをそれぞれのコネクタ・アセンブリに取り付けるのを可能にする位置およびバーベルがそれぞれのコネクタ・アセンブリの間に延びるのを可能にする位置まで移動できる。バーベルの開始位置は、それぞれのライン・セグメント端部の停止位置を垂直方向に調整し、軸受をスミス案内柱に沿って移動させることによって、スミス案内柱に沿って調整することができる。
【００１５】
本発明の第四点において、運動抵抗ユニットは、運動抵抗源に動作可能に連結され、移動可能な運動部材に取り付けられるように適合化されたコネクタを備える端部を有する、可とう性のライン・セグメントを含む。運動抵抗ユニットは、ライン・セグメントを、その端部が垂直方向に調整可能な停止位置に維持されるように支持する。ライン・セグメントは、端部をその停止位置から離すことができるように運動抵抗源のバイアスに対抗して延びることができる。ライン・セグメントは、バイアスによって、端部をその停止位置に戻すように引き込むことができる。運動抵抗ユニットは、調整可能なウェイト・スタック・ユニットを含み、ラインは、調整可能なウェイト・スタック・ユニットのブロックおよびタックルのアセンブリの一部として設けられている。各ウェイト・スタック・ユニットは、垂直方向に延びる案内部材と、案内部材上に滑り可能に取り付けられた複数のウェイト・プレートと、上端部でブロックおよびタックルのアセンブリに取り付けられ、各ウェイト・プレートに選択的に連結することができ、所望の数のウェイト・プレートを案内部材に沿って選択的に持ち上げるウェイト取付け部材とをさらに含む。垂直方向に延びる案内部材には、持上げストロークの終りに、持上げられたウェイト・プレートの運動量を減少させ、それによってライン・セグメントの引込み率を高める機構が取り付けられる。
【００１６】
本発明の第五点において、運動装置は、2つの独立した運動抵抗ユニットを支持し、2つの運動抵抗ユニットが、互いに向かっておよび互いから離れてそれぞれの使用位置に移動できるように取り付けられ、各ユニットが、ユーザによって、運動を行うときに一緒に動作させることが可能であり、かつそれぞれの格納位置へ一緒に動作させることが可能である枠組みを含む。格納位置と使用位置との間を移動することのできるトレッドミルが枠組みに移動可能に連結されている。各運動抵抗ユニットは枠組みのレール上に移動可能に取り付けられており、格納位置においては、トレッドミルはレールに隣接してほぼ垂直方向に延びる。
【００１７】
本発明の第六点において、運動ハンドル・アセンブリは細長いハンドルを含む。ハンドルの両端から延びるように可とう性のストラップが連結されている。可とう性のストラップを運動抵抗ユニットのプルラインに連結するためにコネクタ・アセンブリが設けられている。ストラップがハンドルとコネクタ・アセンブリとの間で引っ張られても、ハンドルは、引っ張られたストラップの平面内に一般に存在する弧においてほぼ自由に回転可能なままである。
【００１８】
本発明の上記およびその他の目的、特徴、および利点は、好ましい態様に関する以下の詳細な説明を添付の図面と共に検討することによって容易に明らかになり、かつ完全に理解されると考えられる。
【００１９】
好ましい態様の詳細な説明
構造フレーム
図6および図7に示されているように、米国特許第5,725,459号に記載された自立型構造フレームは、運動装置が格納されるときに必要な空間量が減少するように改良されている。運動装置の構造フレームが、コーナー柱104、一対のチューブ柱105aおよび105b、一対の上部固定レール101aおよび102a、一対の下部固定レール103aおよび104a、上部クロス・ビーム106、ならびに下部クロス・プレート107を含むより小さな三角形構造内に格納できるように、上部レールおよび下部レールは2つの部分、すなわち固定レール101a〜104aおよび伸張レール101b〜104bに分解されている。
【００２０】
運動装置の左右の機構は本質的に同一であり、互いの鏡像を形成しているので、一方について説明すれば十分であると考えられる。チューブ柱105aを三角形基部108（図12参照）の頂点に設けられた管状の端部108aの内側に挿入することによって、チューブ柱105aは下部レール103aに取り付けられる。三角形基部108は、一つの隅に管状端部108aが設けられ、三角形基部108からレール103aおよびプレート107a（クロス・プレート107の一部）を介して延びるナットおよびボルトのアセンブリによってレール103aおよびクロス・プレート107に、レール103に近い側が取り付けられた、深い三角形のトレーの形状で設けられることが好ましい。チューブ105aはその上端部で、上部クロス・ビーム106の端部構造の一部である管状の端部106aに挿入され、このような各端部構造は、三角形基部108の構造と同様の構造を有している。左右の柱の端部用の上部ハウジングは、上部クロス・ビーム106を含むユニット式組み立て構造として設けられることが好ましい。
【００２１】
伸張レール101b〜104bは、たとえば、折畳み可能、取外し/再取付け可能、伸縮可能などの様々な種類であってよく、または場合によっては、一対の一次カバー・パネル109aおよび109bの一部として設けられてもよい。上部伸張レール101bおよび102bは折畳み可能な種類の一例である。下部伸張レール103bおよび104bは取外し可能/再取付け可能な種類の一例である。頂部伸張レール102bは、ピン110（図19参照）を外して、伸張レールの自由端部を、ピン110が穴111に再挿入される水平位置まで押し上げることによって、点116におけるぶら下がった垂直位置から延ばされた水平位置までピボット運動する。底部伸張レール103b（図7参照）は、三角形基部108のタブ108b（図6および図16参照）によって形成されたスロットまたは空間にプレート103c（図16参照）を滑り込ませることによる使用のために配置されている。図16には、上部伸張レール・セグメントがほぼ垂直方向にぶら下がっているのが示されており、底部伸張レール103bは取り外され、固定レール103a上にほぼ垂直方向に載せられている。
【００２２】
パネル
運動装置を格納して、図6に示されているようにコーナー・クローゼットに似せるために、米国特許第5,725,459号の運動装置に移動可能なカバー・パネル109aおよび109b（図6）が追加されている。（枠組みが連結されている）パネル109bは、ヒンジ・プレート112および113を介してチューブ柱105aに取り付けられている。したがって、チューブ柱105aは、連結ハンドル114によって開位置および閉位置にピボット運動するためのヒンジ支持可能パネル109bとして働く。カバー・パネル109aおよび109bの外側には、鏡を取り付けることもでき、機械が配置される部屋の装飾に一致しうる装飾表面仕上げ、たとえば木目仕上げを施すこともできる。
【００２３】
カバー・パネル109aおよび109b（図9参照）の内側（二次）パネル115および116を用いて2つのさらなる機能を実現することができる：1）ユーザが運動を行っている間に自分の姿勢をチェックするための鏡；および2）有益な張り紙、たとえば運動の図解およびユーザの身長ごとの調整の指示。内側パネル115は好ましくは、外側（一次）パネルの幅の約2分の1であり、中央に位置する個別のヒンジ117を備えている。個別のヒンジ117は、二次パネル115を一方の側に折り畳んで鏡を露出させ、他方の側に折り畳んで張り紙を露出させるのを可能にする。
【００２４】
スミス・アンサンブル（Smith Ensamble）
図7に示されている構成は、線形ガイド121および122によって案内される軸受119および120に連結された取外し可能なバーベル118を用いた運動を行うための構成である。図示のように、バーベル118を、案内付きベンチ・プレス、ミリタリー・プレス、およびスクワット運動を行うのに用いることができる。当技術分野では、バーベルが垂直方向の線形移動を介して案内されるこの構成は「スミス」マシンとして知られている。自立スミス・マシンはフィットネス施設においては一般的である。本発明の一つによれば、既知の構成とは対照的に、米国特許第5,725,459号に記載されたような抵抗ユニットの構成内にスミス・アンサンブル（バーベル118、スミス・ガイド121および122、ならびにスミス軸受119および120）が組み込まれる。スミス・アンサンブルを収容するために、引き位置調整プリー・ブロック124用の垂直案内柱123が一方の側に数インチ移動されている。このような組込みによって、上述の運動装置が上述の構造フレーム内に格納される能力を制限せずに、上述の運動装置を用いることで可能になる案内付き運動の数を増やすことができる。
【００２５】
各スミス・アンサンブルはまた、ユーザが瞬間的に筋肉疲労に達した場合に持上げられたウェイトを迅速に停止させることができるようにスミス安全支持体125も備えている。ウェイトの停止は、スミス・フック126（図13参照）をスロット125a（図7参照。反対側にも設けられている）に嵌めることによって行われる。フック126は、ユーザがバーベル118を回転させることによってフック126をスミス安全支持体125（図7）のスロットに落とすことができるように、バーベルの各端部に隣接して溶接されている。プレート127（図13）は、バーベルがばね負荷ピン134を介してスミス軸受に連結されている間にバーベルが自身の軸上で回転できるように、バーベル118の各端部に回転可能に固定されている。バーベル127は、ばね負荷ピン134をプレート127から外すことによって取り外すことができ、その結果、バーベルの端部を上向きにピボット運動させコネクタ・アセンブリ132から取り外すことができる。
【００２６】
スミス・ガイド121および122（図7）は、フリー・ウェイトの使用時に、運動による移動全体にわたるバーベルの自然な変位をよりしっかりと模倣するようにわずかに傾斜しているのが好ましい。
【００２７】
図7に示されているように、スミス・ガイド122は、各移動可能な抵抗ユニット（たとえば、ウェイト・スタック）の再構成された上部構造ハウジング128および下部構造ハウジング129（頂部ウエストおよび底部ウエスト）、ならびにスミス・ガイド用の取付け位置として働くU字形案内部材130に取り付けられている。各スミス・ガイドは、抵抗をもたらすライン、すなわちケーブル131が従来の設計のコネクタを用いて取り付けられている軸受を有する。小さな頂部プリーまで上向きに延び、次いで、自身の垂直ガイド（図示せず）によって案内される釣合い錘119a（図11参照）まで下向きに延びるライン・セグメントを軸受に取り付けることによって、既知の様式で各軸受の釣合いがとられる。このような垂直ガイドは、下部構造ハウジング128に取り付けられ、かつ頂部で上部構造ハウジング129に取り付けられる。釣合いがとられた軸受は当技術分野で標準的な軸受であり、特に、抵抗を全く追加することなく軸受およびスミス・バーの総重量を持上げることができないユーザのために設けられている。
【００２８】
軸受コネクタ・アセンブリ132（図13参照）は、バーベルの高さ微調整用部位のいくつかを有している。スミス軸受用の開始位置の大規模な調整は、ブリー柱123（図7参照）の穴133を用いて行われる。この目的は、ユーザがバーベルの高さを適切な開始高さによりうまく位置させるように、より細かい調整を施せるようにすることである。一例として、ベンチ・プレス運動の場合、ユーザは、引き位置調整プリー・ブロック124の高さを選択することによってバーベルの高さの大規模な調整を施し、次いでコネクタ・アセンブリ132のばね負荷ピン134（図13）の位置を選択することによってバーベルの高さを微調整すると考えられる。
【００２９】
折畳みベンチ
図8〜図11に示されたように、米国特許第5,725,459号に記載された折畳みベンチは、コーナー柱104によりしっかりとかつ容易に接触するように折り畳まれる（図11参照）ように、および各運動ごとに移動するためのより容易な構成を提供するように再設計されている。折畳みベンチの水平構造支持体135は、コーナー柱104のほぼ「H」形の断面の内側に設けられた穴（図示せず）の中に選択的に位置するピン136によってコーナー柱104に固定された伸縮レバーである。この伸縮レバーは、運動装置の中央の交差平面にベンチを維持し、したがって、ユーザは、ベンチを隅に近づけるかまたは隅から離して、ピン136a（図7および図8参照）を嵌める/外すだけでよく、各ウェイト・スタック・ユニットに取り付けられたハンドル同士が互いに等距離の位置で連結するようにベンチが適切に位置しているかどうかを気にする必要はない。さらに、水平ベンチ支持体135は、図11に示されているように、ベンチを直立するように折り畳み、コーナー柱104に接触する収納位置に案内する。「U」字形ベンチ支持体137（図7）は、図11に示されているように、シート支持体の裏側に接触するように折畳み可能である。
【００３０】
ベンチ支持体137の下部に一対のローラー138およびプリー139（図7参照）が追加されている。ばね負荷ローラーを用いて支持体137を地面に接触した状態から持ち上げることができ、それによってユーザは、座らないときにベンチを所望の位置に容易に移動させることができる。2つのプリーは、ケーブル141およびコネクタ142を介してウェイト・スタックに連結されたハンドル140（図17参照）の最も可能性の低い開始位置を案内する。
【００３１】
ラット・プルダウン・プリー
上部クロス・ビーム106は、その中央に位置しかつそれぞれが個別のケーブル143を有する、一対のラット・プルダウン・プリー142（図12参照）を含む。ケーブルがラット・プルダウン・プリー142を介してプリー145（隠れている）まで延びるときに中央のプルダウン・プリー142の下方にケーブル端部コネクタ144が維持され、ケーブル端部コネクタ144は、使用されないときには、プリー145の周りに延ばし、146に位置する（隠れている）格納フックに格納することができる。ラット・プルダウン・プリー142は、各プリーがコーナーの方へまたはコーナーから離れる方向へピボット運動するのを可能にするハウジング106c内に入っている。
【００３２】
垂直ベンチ
図9に示されている垂直ベンチ・アタッチメントは、垂直膝上げ下げ運動などの運動に用いられる。構造ビーム146には、ヒンジ付き背中支持体147、2つの腕支持体148、2つのヒンジ付きチューブ・ハンドル149、上部および下部の対角支持体150、151が取り付けられている。垂直ベンチ180は、図16に示されているように、伸縮バー152から壁に接触してぶら下がるように格納されている（バー52もまた図7に記載されている）。使用時に、ユーザは、図9に示されているように、移動可能な抵抗ユニットを垂直ベンチ位置に配置する。垂直ベンチの上部および下方の対角支持体150、151は、スミス安全柱125のスロット125a（図7参照）内の所望の高さに配置される。チューブ・ハンドル149は、垂直膝上げを行う場合は、図9に示されているように垂直位置にロックされ膝を下ろす場合は、掛け外しピン152aによって水平位置にロックされる。
【００３３】
プリーチャー・カール
図10に示されているプリーチャー・カール・アタッチメントをコネクタ153内に配置することができる（図8参照）。プリーチャー・カール・アタッチメントの支持パッド154は、ピン（図示せず）を155に選択的に嵌めることによって選択される少なくとも2つの異なる位置、すなわち、傾斜位置および平坦位置を有している。ピン（見えない）を156に選択的に嵌めることによって高さを調整することも可能である。図16には、格納位置のプリーチャー・カール・アタッチメント181が示されている。
【００３４】
レッグ・エクステンションおよびレッグ・カール・アタッチメント
このアタッチメントは、踵パッド157および158（図8参照）の各組を取り外し、90°旋回させ、図16に示されたように抵抗ユニットの移動平面の後方に格納できるように取付け直すことができる（158aのアタッチメント）という点で、米国特許第5,725,459号に記載されたアタッチメントの改良型である。
【００３５】
トレッドミル
米国特許第5,725,459号に記載された運動装置に折畳み電動トレッドミル159（図11参照）が付加されている。電動トレッドミルは当技術分野で公知であり、したがって、トレッドミルを抵抗ユニットの移動平面の後方に非常にしっかりと（図16に示されている位置160まで）折り畳むことに関する新規の機能についてのみ説明する。トレッドミルのモーターおよびフレームを保持する主構造ハウジング161（図11参照）は、床の上に位置し、底部レール103a（図6参照）および三角形基部108（図12参照）の外側に取り付けられている。トレッドミルのピボット軸は好ましくは、駆動モーターの回転軸に整列する。トレッドミル駆動モーターは好ましくは、トレッドミルの傾斜も調節する電子コンソール162によって制御される。モーターを電子コンソールに接続する電源ケーブルおよびデータ・ケーブル（図示せず）は好都合なことに、チューブ柱105a（図6参照）の内側を延びることができる。電子コンソール162は、図示のように頂部レール101bからぶら下がっており、ユーザがランニング・ベルト上に立ったときに、格納位置163（図16参照）から快適な目のレベルまで引き下げられる。電子コンソールは、選択的な運動プログラム、心拍モニタ、およびトレッドミルに共通する他の電子機能を備えている。さらに、TVとして使用したり、インターネットを利用するためにスクリーン・モニタを接続することができる。トレッドミルの手すり164は好ましくは、やはり、トレッドミルと一緒に、直立するように折り畳むことのできる2つの部品で作られる。
【００３６】
機能トレーニング
機能トレーニングは、反復的にかなりの速度で行われるスポーツおよび日常生活における体の動き、すなわちパンチやキックに有益である。ウェイト・スタック・ケーブルが次の反復運動のために瞬間的に引き込むようにするにはウェイト・スタックの運動量を著しく減少させる必要がある。この作用を可能にするために、ウェイト・スタック166用の案内ロッド165（図15参照）は中空になっている。各ガイドの内側のウェイト・スタックの上方に圧縮ばね168が配置されている。ガイドの各側面にある溝168は、取外し可能なキー169を嵌めるための隙間を形成している。これらの溝は、キーが位置する高さから始まり、ばねの圧縮によって可能な最大高さまで延びている。
【００３７】
エルゴ・ハンドル
図14に示されているハンドルは、手首の加速/減速170および前腕の時計回り/逆時計回りの回転171に対して自由な移動を可能にするように構成されている。この目的は、手首および前腕がその主回転軸で自由に回転できるようにすることによって運動中の手首の応力を減らすことである。加速および減速は、1組のローラー173を保持する内側の円筒形ハウジングの外側で回転するチューブ172として構成されたハンドルによって可能になる。前腕の回転は、ストラップ174を、1組のローラー173を介してハンドルの内側ハウジングの内側で延ばすことによって行われる。（本明細書で使用される「ストラップ」とは、図示の平坦なストラップだけでなく、ケーブル、ロープ、およびその他の種類のラインを含むその他の様々な種類のひも類も包含することが理解されると考えられる。）ローラーは、アイレット175を介してコネクタ176に連結される閉ループを形成するストラップに沿ったハンドルの時計回りまたは逆時計回りの走行を容易にするように働く。図14aの矢印によって示されるように、ハンドルは、その内側のローラーによって推進され両外側まで延びるストラップに沿って滑る。したがって、ストラップが、ハンドルと、アイレット175およびコネクタ176によって形成された例示的なコネクタ・アセンブリとの間で引っ張られると、ハンドルは、引っ張られたストラップの平面内に存在する弧においてほぼ自由に回転可能である。ハンドルは、自身の長軸上でも回転する。
【００３８】
伸縮バー
プレート177およびコーナー柱4に、調整可能な伸縮バー152（図7参照）が取り付けられている。コーナー柱内のアタッチメントを、選択された1つの穴179内にピン178を位置させることによって垂直方向に調整することができる。
【００３９】
モジュール式コネクタ
1つまたは複数のモジュール式コネクタ182（図18および図18a参照）を用いて、1つの構造フレームを他の同じフレームに、それぞれのチューブ柱105aおよび105bによってしっかりと取り付けることができる。好ましくは、互いに隣接するフレーム（システム）は、パネル・ヒンジ・プレート112とパネル・ヒンジ・プレート113（図6参照）との間に、各フレームの上部レールと下部レールの両方に隣接して連結される。この構成は、たとえば、図18に示されているように複数のシステムが使用されるときに構造の完全性および安定性を高める。
【００４０】
本発明をその好ましい例示的な態様に関して説明した。当業者は、この開示を検討することによって、添付の特許請求の範囲内に記載された本発明の目的および趣旨の範囲内のその他の態様、特徴、および改変が構想できると考えられる。
【図面の簡単な説明】
【００４１】
【図１】調整可能な引き位置プリー・ブロックを有する移動可能なウェイト・スタック・ユニットを含む、本発明者らの先行技術である米国特許第5,725,459号（第5,725,459号特許）による自立型運動装置を示す斜視図であり、本装置が準備されベンチ・プレス運動を行うために使用されていることを示している。
【図２】点線で示されたウェイト・スタック・ユニットおよび調整プリー・ブロックの代替的使用位置を示す、図1の装置の斜視図である。
【図３】先行技術の第5,725,459号特許による壁取付け型運動装置のウェイト・スタック・ユニットの側面図である。
【図４】ベンチ・プレス運動の実施用に準備された、先行技術の第5,725,459号特許による先行技術の壁取付け型運動装置の概略上平面図である。
【図５】格納位置にある図4の先行技術の装置の概略上平面図である。
【図６】自身のカバー・パネルによって格納された、本発明の一つによる運動装置を示す斜視図である。
【図７】ベンチ・プレス構成の図6の運動装置を示す斜視図である。
【図８】脚部伸張構成の図6の運動装置を示す斜視図である。
【図９】垂直ベンチ・アタッチメント用の図6の装置の構成を示す斜視図である。
【図１０】プリーチャ・カール・アタッチメント用の図6の装置の構成を示す斜視図である。
【図１１】トレッドミル・オプション用の図6の装置の構成を示す斜視図である。
【図１２】ラット・プルダウン構成の図6の運動装置を示す斜視図である。
【図１３】図6の装置におけるバーベルとスミス軸受との連結部の詳細な斜視図である。
【図１４】本発明による「エルゴ」ハンドルを示す「シースルーの」斜視図である。
【図１４ａ】その移動を示す、図14の「エルゴ」ハンドルの斜視図である。
【図１５】本発明の一つによる、機能的トレーニング運動に使用される圧縮ばねを含むウェイト・スタック・アセンブリを示す斜視図である。
【図１５ａ】図15に示されたウェイト・スタック・アセンブリの「シースルーの」斜視図である。
【図１６】アタッチメント、付属装置、およびオプションと共に収納された状態の図6の本発明の運動装置を示す斜視図である（カバー・パネルは開いており、わかりやすくするためにウェイト・スタックは省略した）。
【図１７】腕一本で漕ぐ（one arm rows）ための構成を示す、図6の運動装置の斜視図である。
【図１８】本発明の一つによるモジュール式コネクタによって互いに固定された一対の同じ運動装置を示す斜視図である。
【図１８ａ】図18に示されたモジュール式コネクタの拡大斜視図である。
【図１９】伸張レール・ピボット点を示す「シースルーの」拡大斜視図である。
【図１】
2004520897.tif 000003
【図２】
2004520897.tif 000004
【図３】
2004520897.tif 000005
【図４】
2004520897.tif 000006
【図５】
2004520897.tif 000007
【図６】
2004520897.tif 000008
【図７】
2004520897.tif 000009
【図８】
2004520897.tif 000010
【図９】
2004520897.tif 000011
【図１０】
2004520897.tif 000012
【図１１】
2004520897.tif 000013
【図１２】
2004520897.tif 000014
【図１３】
2004520897.tif 000015
【図１４】
2004520897.tif 000016
【図１４ａ】
2004520897.tif 000017
【図１５】
2004520897.tif 000018
【図１５ａ】
2004520897.tif 000019
【図１６】
2004520897.tif 000020
【図１７】
2004520897.tif 000021
【図１８】
2004520897.tif 000022
【図１８ａ】
2004520897.tif 000023
【図１９】
2004520897.tif 000024
【国際公開パンフレット】
2004520897.tif 000025
2004520897.tif 000026
2004520897.tif 000027
2004520897.tif 000028
2004520897.tif 000029
2004520897.tif 000030
2004520897.tif 000031
2004520897.tif 000032
2004520897.tif 000033
2004520897.tif 000034
2004520897.tif 000035
2004520897.tif 000036
2004520897.tif 000037
2004520897.tif 000038
2004520897.tif 000039
2004520897.tif 000040
2004520897.tif 000041
2004520897.tif 000042
2004520897.tif 000043
2004520897.tif 000044
2004520897.tif 000045
2004520897.tif 000046
2004520897.tif 000047
2004520897.tif 000048
2004520897.tif 000049
2004520897.tif 000050
2004520897.tif 000051
2004520897.tif 000052
2004520897.tif 000053
2004520897.tif 000054
2004520897.tif 000055
2004520897.tif 000056
2004520897.tif 000057
2004520897.tif 000058
2004520897.tif 000059
2004520897.tif 000060
2004520897.tif 000061
2004520897.tif 000062
2004520897.tif 000063
2004520897.tif 000064
2004520897.tif 000065
2004520897.tif 000066
2004520897.tif 000067
【国際公開パンフレット（コレクトバージョン）】
2004520897.tif 000068
【国際調査報告】
2004520897.tif 000069